(57)【要約】【課題】待ち受け画面サービス提供方法及び装置を提供する。【解決手段】待ち受け画面に多重コンテンツが提供される移動通信端末機１００は、移動通信システムを介して提供されるコンテンツをレイヤに区分して受信するコンテンツ受信モジュール１１０と、端末機１００を駆動させ、ユーザインターフェースが具備され、アプリケーションが実行されるハンドセットＯＳモジュール１２０と、コンテンツ受信モジュール１１０で受信した、レイヤに区分されているコンテンツを一つの待ち受け画面レイヤに合成して移動通信端末機１００の待ち受け画面に提供するコンテンツ管理アプリケーションモジュール１３０と、を含む。これにより、移動通信システム環境下で提供される多数のコンテンツを、待ち受け状態の移動通信端末機１００の待ち受け画面上に一度に提供できる。【選択図】図２
2009529844.tif 000002
【特許請求の範囲】
【請求項１】
移動通信システム環境下で少なくとも一つのコンテンツサーバからコンテンツが提供される移動通信端末機であって、
移動通信システムより提供されるコンテンツをレイヤに区分して受信するコンテンツ受信モジュールと、
端末機を駆動させ、ユーザインターフェースが具備され、アプリケーションが実行されるハンドセットＯＳ（Operating System）モジュールと、
前記コンテンツ受信モジュールで受信した、レイヤに区分されているコンテンツを一つの待ち受け画面レイヤに合成して前記移動通信端末機の待ち受け画面に提供するコンテンツ管理アプリケーションモジュールと、
を含むことを特徴とする待ち受け画面に多重コンテンツが提供される移動通信端末機。
【請求項２】
前記コンテンツ管理アプリケーションモジュールは、ユーザインターフェースを介してユーザからコンテンツ操作が入力され、対応するコンテンツのレイヤに分配するイベント制御部をさらに含むことを特徴とする請求項１に記載の待ち受け画面に多重コンテンツが提供される移動通信端末機。
【請求項３】
移動通信端末機に提供される一つのコンテンツは一つのレイヤを占有し、該レイヤ内のコンテンツは客体化されて待ち受け画面の少なくとも一部領域を占めることを特徴とする請求項１または２に記載の待ち受け画面に多重コンテンツが提供される移動通信端末機。
【請求項４】
各々のレイヤ内のコンテンツは、個別的に端末機のプラットフォーム及び対応するコンテンツサーバとプロセッシングを行うことを特徴とする請求項１または２に記載の待ち受け画面に多重コンテンツが提供される移動通信端末機。
【請求項５】
待ち受け画面レイヤに合成された各レイヤのコンテンツは、全てヒープ（Heap）領域に常駐することを特徴とする請求項１または２に記載の待ち受け画面に多重コンテンツが提供される移動通信端末機。
【請求項６】
前記コンテンツ管理アプリケーションモジュールは、前記コンテンツ受信モジュールで受信した、レイヤに区分されているコンテンツの中から待ち受け画面レイヤに合成するレイヤをユーザが選択できるようにするコンテンツ設定部をさらに含むことを特徴とする請求項１または２に記載の待ち受け画面に多重コンテンツが提供される移動通信端末機。
【請求項７】
前記コンテンツ管理アプリケーションモジュールは、待ち受け画面レイヤに合成されたコンテンツの待ち受け画面上での配置及び位置をユーザが設定できるようにする位置管理部をさらに含むことを特徴とする請求項１または２に記載の待ち受け画面に多重コンテンツが提供される移動通信端末機。
【請求項８】
移動通信システム環境下で少なくとも一つのコンテンツサーバから提供されるコンテンツを移動通信端末機の待ち受け画面に提供する方法であって、
（ａ）移動通信システムより移動通信端末機に提供されるコンテンツをレイヤに区分して受信するステップと、
（ｂ）レイヤに区分して受信されたコンテンツを一つの待ち受け画面レイヤに合成するステップと、
（ｃ）前記合成された待ち受け画面レイヤを待ち受け状態の移動通信端末機の待ち受け画面に提供するステップと、
を含むことを特徴とする移動通信端末機の待ち受け画面への多重コンテンツ提供方法。
【請求項９】
移動通信端末機に提供された一つのコンテンツは一つのレイヤを占有し、該レイヤ内のコンテンツは客体化されて待ち受け画面の少なくとも一部領域を占めることを特徴とする請求項８に記載の移動通信端末機の待ち受け画面への多重コンテンツ提供方法。
【請求項１０】
各レイヤ内のコンテンツは、個別的に端末機のプラットフォーム及び対応するコンテンツサーバとプロセッシングを行うことを特徴とする請求項８または９に記載の移動通信端末機の待ち受け画面への多重コンテンツ提供方法。
【請求項１１】
前記ステップ（ｂ）は、
待ち受け画面レイヤに合成された各レイヤのコンテンツは、全てヒープ領域に常駐することを特徴とする請求項８または９に記載の移動通信端末機の待ち受け画面への多重コンテンツ提供方法。
【請求項１２】
前記ステップ（ｂ）は、
レイヤに区分され受信されたコンテンツの中から待ち受け画面レイヤに合成するレイヤがユーザにより選択されるコンテンツ設定ステップをさらに含むことを特徴とする請求項８または９に記載の移動通信端末機の待ち受け画面への多重コンテンツ提供方法。
【請求項１３】
前記ステップ（ｂ）は、
待ち受け画面レイヤに合成されたコンテンツの待ち受け画面上での配置及び位置をユーザが選択する位置設定ステップをさらに含むことを特徴とする請求項８または９に記載の移動通信端末機の待ち受け画面への多重コンテンツ提供方法。
【請求項１４】
移動通信システム環境下で少なくとも一つのコンテンツサーバから提供されるコンテンツを移動通信端末機の待ち受け画面に提供する手続を行うプログラムが記録された記録媒体であって、
移動通信システムより移動通信端末機に提供されるコンテンツをレイヤに区分して受信するステップと、
レイヤに区分して受信されたコンテンツを一つの待ち受け画面レイヤに合成するステップと、
前記合成された待ち受け画面レイヤを待ち受け状態の移動通信端末機の待ち受け画面に提供するステップと、
を行うことを特徴とするコンピュータで読み取り可能なプログラムを記録した記録媒体。
【請求項１５】
ユーザが所望するチャンネルを選択すると、前記選択したチャンネルに対する情報を要求するステップと、
前記チャンネルに対応するコンテンツを所定規格でイメージ化して生成されたチャンネル情報をダウンロードするステップと、
前記ダウンロードしたチャンネル情報を待ち受け画面として設定し、待ち受け画面を変更／アップデートするステップと、
を含むことを特徴とするコンテンツ基盤のダイナミック待ち受け画面サービス提供方法。
【請求項１６】
ユーザが前記選択したチャンネルを前記待ち受け画面から除去すると、前記待ち受け画面の変更／アップデートが中止され、待ち受け画面解除を行うステップをさらに含むことを特徴とする請求項１５に記載のコンテンツ基盤のダイナミック待ち受け画面サービス提供方法。
【請求項１７】
ユーザインターフェース（ＵＩ）を介して他のサービスに転換するステップをさらに含むことを特徴とする請求項１５に記載のコンテンツ基盤のダイナミック待ち受け画面サービス提供方法。
【請求項１８】
前記選択したチャンネルに対する情報を要求するステップは、所定周期でコンテンツを提供するサーバに要求することを特徴とする請求項１５に記載のコンテンツ基盤のダイナミック待ち受け画面サービス提供方法。
【請求項１９】
前記待ち受け画面を変更／アップデートするステップは、プル（ＰＵＬＬ）／プッシュ（ＰＵＳＨ）により所定周期で前記待ち受け画面の内容を変更／アップデートすることを特徴とする請求項１５に記載のコンテンツ基盤のダイナミック待ち受け画面サービス提供方法。
【請求項２０】
ユーザが所望するチャンネルを選択すると、前記選択されたチャンネルに対する情報を要求し、提供されるイメージ化したチャンネル情報を待ち受け画面に表示し、前記待ち受け画面を変更／アップデートする端末と、
前記選択されたチャンネルのコンテンツを提供するサーバに前記選択されたチャンネルに対する情報を要求し、前記チャンネルに対する情報要求に応えて提供された前記イメージ化したチャンネル情報を待ち受け画面として設定し、待ち受け画面を変更／アップデートするように前記端末に通報するゲートウェイと、
前記チャンネル対応するコンテンツを所定規格でイメージ化したチャンネル情報をダウンロードし、前記イメージ化したチャンネル情報を前記ゲートウェイに転送するコンテンツサーバと、
を含むことを特徴とするコンテンツ基盤のダイナミック待ち受け画面サービス提供システム。
【請求項２１】
前記コンテンツサーバに、既にＵＲＬで登録され、前記チャンネルに対応する内部サーバと周期的に連動して最新情報を受信し、受信された情報をイメージ化して生成し、所定イメージマップファイルと共に前記チャンネル情報に含めて転送するチャンネルウェブサーバをさらに含むことを特徴とする請求項２０に記載のコンテンツ基盤のダイナミック待ち受け画面サービス提供システム。
【請求項２２】
前記ゲートウェイは、前記チャンネルに対する情報要求に応えて提供された前記イメージ化したチャンネル情報を前記端末に転送可能な形態に変換し、所定規格でパッケージングして前記端末に転送することを特徴とする請求項２０に記載のコンテンツ基盤のダイナミック待ち受け画面サービス提供システム。
【請求項２３】
前記端末は、ユーザが前記選択したチャンネルを前記待ち受け画面から除去すると、前記待ち受け画面の変更／アップデートが中止され、待ち受け画面解除が行われることを特徴とする請求項２０に記載のコンテンツ基盤のダイナミック待ち受け画面サービス提供システム。
【請求項２４】
前記端末は、前記チャンネル情報に含まれたイメージマップ情報に基づいて画面のイメージ上にフォーカス領域を表示し、前記ユーザが確認ボタンを押すと、前記フォーカス領域に接続されている外部アプリケーションを駆動させることを特徴とする請求項２０に記載のコンテンツ基盤のダイナミック待ち受け画面サービス提供システム。
【請求項２５】
前記端末は、前記コンテンツサーバより提供された多様なチャンネルのイメージを管理し、ユーザインターフェース（ＵＩ）を介して他のサービスに転換することを特徴とする請求項２０に記載のコンテンツ基盤のダイナミック待ち受け画面サービス提供システム。
【請求項２６】
前記端末は、プル／プッシュにより所定周期で前記待ち受け画面の内容を変更／アップデートすることを特徴とする請求項２０に記載のコンテンツ基盤のダイナミック待ち受け画面サービス提供システム。
【発明の詳細な説明】
【技術分野】
【０００１】
本発明は、待ち受け画面（または、ウォールペーパー）サービスを提供するための方法及び装置に関するもので、より詳細には、コンテンツサーバから提供されたコンテンツを待ち受け状態の移動通信端末機に提供し、また、コンテンツ基盤のダイナミック待ち受け画面サービスを提供するための方法及び装置に関する。
【背景技術】
【０００２】
最近、電子工学及び通信工学の飛躍的な発展に伴い、移動通信端末機も多様な機能を有するようになった。すなわち、無線通信及びデータ処理技術が急速に発展することにより、移動通信端末機を用いて音声通話だけでなく、インターネット接続、画像通信、及び動画メッセージ送信などの機能まで用いることができるようになった。また、移動通信端末機の急激な普及により、人間関係より発生する相当量の通信が移動通信端末機を通して行われるなど、移動通信端末機は現代生活の必須の通信手段になっている。
【０００３】
このような移動通信端末機の発展と共に、移動通信端末機を介して提供されるサービスや移動通信端末機で処理されるアプリケーションがより増加し、多様になった。例えば、移動通信端末機を用いたコンテンツ利用、金融取引サービスなどの機能が提供されている。その一例が移動通信端末機を利用した無線インターネット接続であり、ユーザはいつ、どこでも移動通信端末機を用いてインターネットに接続して所望するコンテンツをダウンロードすることができるようになった。
【０００４】
このような移動通信端末機を用いたコンテンツダウンロード方式は、ユーザが移動通信端末機を用いてインターネットに接続し、通信事業者のサーバが移動通信端末機と該当するコンテンツサーバとを接続させて、移動通信端末機に当該コンテンツサーバからのコンテンツをダウンロードする方式である。このような方式は、通信接続に無駄な時間を費やし、当該コンテンツサーバに接続する際にも費用がかかるという問題があった。
【０００５】
最近、このような問題に鑑み、移動通信端末機が待ち受け状態時に、端末機の待ち受け画面にコンテンツを提供するアプリケーションを開発してサービスが行われている。しかし、このような待ち受け画面へのコンテンツ提供サービスは、一つのコンテンツのみを提供することに過ぎなく、ユーザが所望するコンテンツに変更するためには、端末機のアプリケーションを変更しなければならないという問題があった。
【０００６】
通常、通信システムの端末には、表示部の待ち受け画面を通してサーバから天気、証券、ニュース、交通、及びメール情報などの多様なアプリケーションが提供されているが、現在の待ち受け画面サービスは、コンテンツサーバ（Content Packaging Server、以下、ＣＰサーバともいう）のアプリケーションにより待ち受け画面が占有及び変更される。
【０００７】
このように、従来の待ち受け画面サービスは、該当するアプリケーションを表示するポップアップがＷＩＰＩアプリケーション基盤である。ここで、ＷＩＰＩ（Wireless Internet Platform for Interoperability）とは、移動通信事業者が同じプラットフォームを用いることにより国家的損失を減らすことを目的として、２００１年から国策事業として推進し始めたもので、無線インターネットプラットフォームとは、端末でパソコンのＯＳ（Operating System）のような役割をする基本ソフトウェアのことを言う。
【０００８】
従来、移動通信事業者等は、会社ごとにそれぞれ異なる方式で無線インターネットプラットフォームを製作して用いたため、コンテンツ提供業者も同じコンテンツを多数のプラットフォームで製作するしか方法がなかった。従って、コンテンツ製作及びサービスに伴う様々な要因の無駄使いが発生し、ＷＩＰＩはこのような無駄使いの要因を減らす目的で開発されたものである。
【０００９】
しかし、従来のＷＩＰＩアプリケーション基盤のサービスは、自由に変更／アップグレードすることが不便であって、予定されていない機能を加えるためには再コンパイルをしなくてはならなかった。このようなポップアップアプリケーションには一般アプリケーションに比べて多くのリソースが投入されるため、一般ＣＰサーバの参加が低く、ＯＥＭ基盤のサービスの場合、テキストまたは単純イメージ送信ではマルチメディア化されたインタラクティブサービスを提供することに困難があった。
【００１０】
さらに、ＷＩＰＩアプリケーション基盤のサービスは、コンテンツを提供するＣＰサーバにとって、ＣＰサーバの所望する内容を待ち受け画面に自由に実現できないため、ＷＩＰＩアプリケーション、すなわち、プラットフォーム基盤によらない新たなダイナミック待ち受け画面サービスが必要になった。
【発明の開示】
【発明が解決しようとする課題】
【００１１】
本発明は、上述した従来技術の問題点を解決するためになされたものであって、待ち受け状態の移動通信端末機の待ち受け画面に多数のコンテンツを提供できる方法及びこれを用いた移動通信端末機を提供することを目的とする。
本発明の他の目的は、移動通信端末機の待ち受け画面に提供されるコンテンツをアプリケーションの変更なしにユーザが任意に変更できるようにする方法及びこれを支援する移動通信端末機を提供することにある。
【００１２】
本発明のまた他の目的は、コンテンツを活用してコンテンツ内容を規格に合うようにイメージ化して、ダイナミックに待ち受け画面に提供する待ち受け画面サービス方法及びシステムを提供することにある。
【００１３】
本発明のまた他の目的は、待ち受け画面サービ時、チャンネル形式のＵＩを通して容易に他のサービスに転換できる待ち受け画面サービス方法及びシステムを提供することにある。
【００１４】
本発明のまた他の目的は、コンテンツ基盤のサービス提供時、コンテンツサーバを介して端末の待ち受け画面をアップデートするか、または端末クライアントがイメージチャンネルを保有しているコンテンツサーバに接続して待ち受け画面のイメージをアップデートする、待ち受け画面サービス方法及びシステムを提供することにある。
【００１５】
本発明の実施例を通して、本発明の他の目的及び長所が分かるようになり、また、本発明の目的及び長所は、添付した特許請求の範囲に記載された手段及び組み合わせにより実現可能である。
【課題を解決するための手段】
【００１６】
上記のような目的を達成するために、本発明の一実施形態に係る待ち受け画面に多重コンテンツが提供される移動通信端末機は、移動通信システム環境下で少なくとも一つのコンテンツサーバからコンテンツが提供される移動通信端末機であって、移動通信システムを介して提供されるコンテンツをレイヤに区分して受信するコンテンツ受信モジュールと、端末機を駆動させ、ユーザインターフェースが具備され、アプリケーションが実行されるハンドセットＯＳモジュールと、上記コンテンツ受信モジュールで受信した、レイヤに区分されているコンテンツを一つの待ち受け画面レイヤに合成して上記移動通信端末機の待ち受け画面に提供するコンテンツ管理アプリケーションモジュールと、を含む。
【００１７】
本発明の他の実施形態によれば、移動通信端末機の待ち受け画面への多重コンテンツ提供方法は、移動通信システム環境下で少なくとも一つのコンテンツサーバから提供されるコンテンツを移動通信端末機の待ち受け画面に提供する方法であって、（ａ）移動通信システムより移動通信端末機に提供されるコンテンツをレイヤに区分して受信するステップと、（ｂ）レイヤに区分して受信されたコンテンツを一つの待ち受け画面レイヤに合成するステップと、（c）上記合成された待ち受け画面レイヤを待ち受け状態の移動通信端末機の待ち受け画面に提供するステップと、を含む。
【００１８】
本発明のまた他の実施形態によれば、移動通信システム環境下で少なくとも一つのコンテンツサーバから提供されるコンテンツを移動通信端末機の待ち受け画面に提供する手続を実行するプログラムが記録された記録媒体であって、移動通信システムより移動通信端末機に提供されるコンテンツをレイヤに区分して受信するステップと、レイヤに区分して受信されたコンテンツを一つの待ち受け画面レイヤに合成するステップと、上記合成した待ち受け画面レイヤを待ち受け状態の移動通信端末機の待ち受け画面に提供するステップと、を行うコンピュータで読み取り可能なプログラムを記録した記録媒体が提供される。
【００１９】
本発明のまた他の実施形態によれば、コンテンツ基盤のダイナミック待ち受け画面サービス提供方法は、ユーザが所望するチャンネルを選択すると、上記選択したチャンネルの情報を要求するステップと、上記チャンネルに対応するコンテンツを所定規格でイメージ化して生成したチャンネル情報をダウンロードするステップと、上記ダウンロードしたチャンネル情報を待ち受け画面として設定し、待ち受け画面を変更／アップデートするステップと、を含む。
【００２０】
ここで、コンテンツ基盤のダイナミック待ち受け画面サービス提供方法は、ユーザが上記選択したチャンネルを上記待ち受け画面から除去すると、上記待ち受け画面の変更／アップデートが中止され、待ち受け画面解除が行われるステップと、ユーザインターフェース（ＵＩ）を介して他のサービスに転換するステップと、をさらに含む。
【００２１】
また、本発明のまた他の実施形態によれば、コンテンツ基盤のダイナミック待ち受け画面サービス提供システムは、ユーザが所望するチャンネルを選択すると、上記選択したチャンネルの情報を要求し、イメージ化したチャンネル情報を受けて待ち受け画面に表示し、上記待ち受け画面を変更／アップデートする端末と、上記選択したチャンネルのコンテンツを提供するサーバに、上記選択したチャンネルの情報を要求し、上記チャンネルに対する情報要求に応えて提供された上記イメージ化したチャンネル情報を待ち受け画面として設定し、待ち受け画面を変更／アップデートするように上記端末に通知するゲートウェイと、上記チャンネルに対応するコンテンツを所定規格でイメージ化したチャンネル情報をダウンロードし、上記イメージ化したチャンネル情報を上記ゲートウェイに転送するコンテンツサーバと、を含む。
【００２２】
ここで、コンテンツ基盤のダイナミック待ち受け画面サービス提供システムは、上記コンテンツサーバに既にＵＲＬで登録され、上記チャンネルに対応する内部サーバと周期的に連動して最新情報を受信し、受信された情報をイメージ化して生成し、予め設定されたイメージマップファイルと共に上記チャンネル情報に含めて転送するチャンネルウェブサーバをさらに含む。
【発明の効果】
【００２３】
本発明によれば、移動通信システム環境下で提供される多数のコンテンツを待ち受け状態の移動通信端末機の待ち受け画面上に一度に提供することができる。
【発明を実施するための最良の形態】
【００２４】
本発明は多様な変換を加えることができ、様々な実施例を有することができるため、特定実施例を図面に例示し、詳細に説明する。しかし、これは本発明を特定の実施形態に限定するものではなく、本発明の思想及び技術範囲に含まれるあらゆる変更、均等物及び代替物を含むものとして理解されるべきである。各図面の説明において、類似の参照符号を類似の構成要素に対して用いた。
【００２５】
「第１」、「第２」、Ａ、Ｂなどの用語は、多様な構成要素の説明に用いることに過ぎなく、上記構成要素は上記用語により限定されるものではない。上記用語は一つの構成要素を他の構成要素から区別する目的だけに用いられる。例えば、本発明の権利範囲内における第１構成要素は第２構成要素であると命名されることができ、同様に第２構成要素も第１構成要素であると命名されることができる。「及び」／「または」という用語は、複数の関連のある記載項目の組み合わせまたは複数の関連のある記載項目のうち何れかの項目を含む。
【００２６】
ある構成要素が他の構成要素に「連結」あるいは「接続」されていると記載された時には、その他の構成要素に直接的に連結されているか、または接続されていることができ、中間に他の構成要素が存在することもできると理解しなければならない。反面、ある構成要素が他の構成要素に「直接連結」あるいは「直接接続」されていると記載された時には、中間に他の構成要素が存在しないと理解しなければならない。
【００２７】
本願で用いた用語は、ただ特定の実施例を説明するために用いたものであって、本発明を限定するものではない。単数の表現は、文の中で明らかに表現しない限り、複数の表現を含む。本願において、「含む」または「有する」などの用語は明細書中に記載された特徴、数字、ステップ、動作、構成要素、部品、またはこれらを組み合わせたものの存在を指定するものであって、一つまたはそれ以上の他の特徴や数字、ステップ、動作、構成要素、部品、またはこれらを組み合わせたものなどの存在または付加可能性を予め排除するものではないと理解しなければならない。
【００２８】
その他、定義しない限り、技術的または科学的な用語を含んで、ここで用いられる全ての用語は、本発明が属する技術分野で通常の知識を有する者であれば一般的に理解される用語と同一の意味を有する。一般的に用いられる予め定義しているような用語は、関連技術の文脈上の意味と一致する意味を有すると解釈すべきで、本出願で明らかに定義しない限り、理想的または過度に形式的な意味として解釈してはならない。
【００２９】
以下、本発明の好ましい実施例を添付した図面を参照して詳細に説明する。本発明の説明において、本発明に対する理解を容易にするために、図面番号にかかわらず、同じ手段に対しては同じ参照番号を付する。
【００３０】
図１は、本発明の一実施例による移動通信端末機にコンテンツが提供される移動通信システム環境を概略的に示す構成図である。
【００３１】
図１を参照すると、本発明の移動通信端末機１００は、基地局２０を介して移動通信システム１０に無線接続する。上記移動通信システム１０は、インターネット３０に接続され、インターネット３０には多数のコンテンツサーバ４１，４２，４３が接続されてコンテンツを提供する。また、上記移動通信システム１０に直接接続されたコンテンツサーバ４４も構成可能である。
【００３２】
上記移動通信システム１０は、交換器、ＨＬＲ（Home Location Register）、ゲートウェイなどのコアネットワークで構成され、音声及びデータ通信のすべてを行う。上記インターネット３０は、一般公衆網を含み、多様なコンテンツを提供するコンテンツサーバ４１，４２，４３が上記インターネット３０を介してゲートウェイを用いて上記移動通信システム１０に接続する。上記インターネット３０を介して上記移動通信システム１０に接続されたコンテンツサーバ４１，４２，４３と、上記移動通信システム１０に直接接続されているコンテンツサーバ４４は、上記移動通信システム１０のネットワークを通して基地局２０から移動通信端末機１００に接続可能になる。このように、コンテンツサーバは、移動通信システム１０を介して上記移動通信端末機１００にコンテンツを提供する。
【００３３】
このとき、上記移動通信システム１０には、上記多数のコンテンツサーバ４１，４２，４３，４４から提供されるコンテンツを管理するためのコンテンツ管理サーバ（図示せず）を具備することができる。
【００３４】
次に、本発明による移動通信端末機１００を図２を参照して説明する。
図２は、本発明の一実施例による待ち受け画面に多重コンテンツが提供される移動通信端末機の機能ブロックを示す構成図である。
【００３５】
図２を参照すると、本発明による待ち受け画面に多重コンテンツが提供される移動通信端末機１００は、移動通信システム１０と無線データを送／受信する通信部、通話呼の着／発信を処理する制御部、ユーザの入力信号を受けるための入力部、ユーザに情報を表示するための表示部、ユーザに多様な端末機機能を提供するインターフェース部、及びデータを格納管理するメモリを含む移動通信端末機であって、移動通信システムを介して提供されるコンテンツを受信するコンテンツ受信モジュール１１０と、端末機を駆動させ、アプリケーションが実行されるハンドセットＯＳモジュール１２０と、受信されたコンテンツを管理するコンテンツ管理アプリケーションモジュール１３０と、を含むことを特徴とする。
【００３６】
上記通信部は、移動通信システム１０の基地局２０に接続されて無線データを送／受信しながら通信する機能を行う。上記通信部は、パイロットチャンネル（pilot channel）、ページングチャンネル（paging channel）、トラフィックチャンネル（traffic channel）などを通して上記基地局と通信を行う。
【００３７】
上記制御部は、端末機を駆動し、端末機の全体的な制御を行い、上記通信部を通して上記移動通信システムと通話呼の着／発信作業を処理して接続する。また、インターフェース部と連動して端末機内部の様々なプログラムを実行し、メモリにデータを入出力させる。
【００３８】
上記入力部には、マイクを通してユーザの音声が入力され、キーパッドのような入力信号の提供手段を通してユーザから端末機の操作信号が入力される。
【００３９】
上記表示部は、端末機にて処理された情報をユーザに提供する。上記表示部は、端末機の処理状態を画面に表示する液晶表示装置、発光素子の発光により情報を伝達する発光ランプ、振動モータの振動により情報を伝達する振動装置、ベル音やサウンドで情報を伝達するスピーカなどを含む。
【００４０】
上記インターフェース部は、ユーザが端末機の基本機能及び多様な付加機能を容易に利用できるように助ける機能をする。
上記ハンドセットＯＳモジュール２０は、端末機を駆動及び運営してユーザが端末機を用いて通信及び多様な機能を利用できるように支援する役割をするプログラムである。
【００４１】
上記コンテンツ受信モジュール１１０は、上記通信部を介して、上記移動通信システム１０に無線接続された状態で提供される多数のコンテンツを受信する。この時、受信されたコンテンツはそれぞれレイヤに区分される。すなわち、第１コンテンツサーバ４１から提供されたコンテンツはレイヤ１に区分して受信し、第２コンテンツサーバ４２から提供されたコンテンツはレイヤ２に区分して受信する。
【００４２】
上記コンテンツ管理アプリケーションモジュール１３０は、上記コンテンツ受信モジュール１１０より受信された、レイヤに区分されているコンテンツを一つの待ち受け画面レイヤに合成して上記端末機表示部の待ち受け画面に提供する役割をするアプリケーションプログラムである。上記コンテンツ管理アプリケーションモジュール１３０は、イベント制御部１３２、コンテンツ設定部１３４、及び位置管理部１３６を含む。
【００４３】
一つのコンテンツは、一つのレイヤを占めて独立的な機能を行う。また、レイヤ内に含まれているコンテンツは客体化されて上記コンテンツ管理アプリケーションモジュール１３０により待ち受け画面レイヤに合成される際に、客体化されたコンテンツ客体のサイズ及び位置が変更可能である。客体化されたコンテンツ客体のサイズ及び位置変更は、上記コンテンツ管理アプリケーションモジュール１３０から管理され、各コンテンツ客体のコンテンツ提供及びコンテンツ実行はそれぞれ独立的に行われる。すなわち、コンテンツ客体のレイヤ内のサイズ及び位置は上記コンテンツ管理アプリケーションモジュール１３０が処理し、コンテンツ客体のコンテンツ提供及びコンテンツ実行はコンテンツ自体で独立して処理され、該コンテンツを提供したコンテンツサーバから影響を受ける。
【００４４】
このように、それぞれのレイヤ内のコンテンツは個別的に端末機のプラットフォーム及び対応するコンテンツサーバとプロセッシングを行い、上記コンテンツ管理アプリケーションモジュール１３０はレイヤに区分された多数のコンテンツを管理し、一つの待ち受け画面レイヤに合成する。ここで、上記待ち受け画面レイヤに合成された多数のコンテンツは、全て上記メモリのヒープ領域に常駐し、それぞれの個別的な処理が独立的に行われるようにする。
【００４５】
上記イベント制御部１３２は、待ち受け画面を通して提供される多数のコンテンツの中の何れか一つをユーザが利用する時の操作信号やキー入力情報を、対応するコンテンツのレイヤに分配して処理できるようにする役割をする。すなわち、上記イベント制御部１３２は、ユーザインターフェースを介してユーザからコンテンツ操作が入力されると、対応するコンテンツのレイヤに分配する。このように、待ち受け画面に提供された多数のコンテンツのうちのユーザから選択されたコンテンツの操作入力やキーイベント要求を、対応するコンテンツレイヤに分配すると、これを対応するコンテンツサーバに転送するか、該コンテンツの独立的な処理プロセスに用いる。
【００４６】
上記コンテンツ設定部１３４は、提供されるコンテンツの中からユーザが所望するコンテンツを選択できるようにし、選択されたコンテンツを待ち受け画面レイヤに合成して提供する。すなわち、上記コンテンツ受信モジュール１１０で受信した、レイヤに区分されたコンテンツの中から待ち受け画面レイヤに合成するレイヤをユーザが選択できるようにし、選択されたレイヤを待ち受け画面レイヤに合成する。この時、ユーザに、待ち受け画面に提供されたコンテンツを選択できるコンテンツ設定メニューインターフェースを提供することができる。
【００４７】
上記位置管理部１３６は、待ち受け画面に提供された多数のコンテンツをユーザが所望する領域に配置するか、位置を設定できるようにする役割を担当する。すなわち、上記コンテンツ受信モジュール１１０で受信し、上記コンテンツ設定部１３４で選択されたコンテンツレイヤを待ち受け画面に合成する際に、各レイヤのコンテンツを客体化し、その客体の待ち受け画面上の位置を設定できるようにする。この時、ユーザに、待ち受け画面に提供されるコンテンツの位置及び配置を調整できる位置管理メニューインターフェースを提供することができる。
【００４８】
図３は、本発明の一実施例による待ち受け画面に多重コンテンツが提供される移動通信端末機のプログラム構造図である。
【００４９】
図３を参照すると、各コンテンツサーバ４１，４２，４３は、それぞれ異なるコンテンツを提供する。それぞれのコンテンツサーバ４１，４２，４３から提供されるコンテンツは、端末機内で各コンテンツ当たり一つのレイヤが割り当てられて処理される。例えば、第１コンテンツサーバ４１から提供されたコンテンツは第１レイヤ５１に割り当てられて処理され、第２コンテンツサーバ４２から提供されたコンテンツは第２レイヤ５２に割り当てられて処理される。ここで、端末機内の各レイヤに割り当てられたコンテンツは、客体化されて処理される。
【００５０】
このようにレイヤに割り当てられたコンテンツ客体は、コンテンツ管理アプリケーション６０から管理される。上記コンテンツ管理アプリケーション６０は、各コンテンツの内容や提供サービスに関わらず、各レイヤを選択・合成し、客体の位置管理及びイベント発生時に対応するレイヤに分配するなどの処理を担当する。各レイヤ別に提供されたコンテンツは客体で管理され、待ち受け画面レイヤに合成するレイヤを選択し、待ち受け画面レイヤに合成される客体の配置及び位置を設定する。コンテンツが選択されて、客体の配置が設定されると、待ち受け画面レイヤに一つに合成して待ち受け状態の移動通信端末機ＬＣＤに提供する。この時、待ち受け画面レイヤに合成されたコンテンツは、移動通信端末機のメモリのヒープ領域に常駐される。
【００５１】
また、上記コンテンツ管理アプリケーション６０は、提供されたコンテンツの中からユーザによりキーイベントや操作の入力が発生すると、該イベントに対応するコンテンツ別レイヤ５１，５２，５３に分配する。このように分配されたイベントや操作入力は、対応するレイヤで独立的に処理される。すなわち、対応するレイヤのコンテンツ内で処理されるか、対応するコンテンツサーバと連動して処理される。この時には、上記コンテンツ管理アプリケーション６０とは独立して、移動通信端末機のプラットフォーム７０及び対応するコンテンツサーバ（例えば、４１）と個別的にプロセッシングが行われる。
【００５２】
移動通信端末機のプラットフォーム７０は、コンテンツ客体の独立的な処理が行われるようにし、コンテンツ管理アプリケーション６０の処理結果が反映されて、端末機ＬＣＤの待ち受け画面に合成されたコンテンツを提供し、ユーザからイベント及び操作が入力されるインタフェーシングの役割を担当する。
【００５３】
図４は、本発明の一実施例による移動通信端末機の待ち受け画面に多重コンテンツを提供する方法の手続を示すフローチャートである。
【００５４】
図４を参照すると、先ず、ステップ１で、移動通信システム環境下で多数のコンテンツサーバにコンテンツが要求されて、対応するサーバから移動通信端末機にコンテンツが提供される。この時、コンテンツサーバから直接移動通信端末機にコンテンツが受信されることもでき、移動通信システムに具備されたコンテンツ管理サーバにコンテンツが受信されて前処理が行われた後に移動通信端末機に受信されることもできる。上記前処理とは、移動通信端末機にコンテンツを提供するためのフォーマット変換などであることができる。
【００５５】
移動通信端末機に多数のコンテンツが受信されると、ステップ２で、これをそれぞれのコンテンツ別にレイヤを割り当てる作業を行う。各コンテンツをレイヤに割り当てて区分し、各コンテンツを独立して扱う。ここで、それぞれのコンテンツ別に割り当てられて区分されたレイヤには、レイヤ識別情報が設定される。
【００５６】
このようにレイヤが区分されたら、ステップ３で、受信された多数のコンテンツは、それぞれのレイヤ識別情報に基づいて対応するレイヤに提供され、対応するレイヤでは提供されたコンテンツを反映するアップデートが行なわれる。
【００５７】
次に、ステップ４で、レイヤに区分されたコンテンツの中から移動通信端末機の待ち受け画面に提供されるコンテンツを選択する。この時、ユーザに選択メニューインターフェースを提供することができる。また、このステップはユーザからコンテンツ選択が要求される時に行われ、要求がない時には省略可能である。
【００５８】
ステップ５で、上記選択されたコンテンツはそれぞれのレイヤ別に客体化され、待ち受け画面に配置される位置が設定される。この時にも、ユーザに位置管理メニューインターフェースを提供することができる。また、このステップもユーザからコンテンツ位置管理が要求される時に行われ、要求がない時には省略可能である。
【００５９】
待ち受け画面に配置されるコンテンツ客体の位置が設定されたら、ステップ６で、各客体が含まれている多数のレイヤを一つの待ち受け画面レイヤに合成する。このように合成された待ち受け画面レイヤは、一つのレイヤに多数のコンテンツ客体が存在し、各コンテンツ客体は互いに独立して動作する。
【００６０】
このように合成された待ち受け画面レイヤは、ステップ７で、通信端末機が待ち受け状態である時にディスプレイに表示されて対応するコンテンツが提供される。この待ち受け画面レイヤには多数のコンテンツが一つの画面に表示され、各コンテンツはそれぞれ独立して処理プロセスが行われる。
【００６１】
次に、図５を参照して、移動通信端末機の待ち受け画面に多数のコンテンツ客体が合成された例を説明する。
【００６２】
図５は、本発明の一実施例による待ち受け画面に多重コンテンツが提供される移動通信端末機の待ち受け画面合成過程を示す図である。
【００６３】
図５を参照すると、先ず、移動通信端末機に提供された多数のコンテンツは、それぞれ区分されたレイヤに割り当てられ、対応するレイヤ内ではコンテンツが客体化される。すなわち、図５に示すように、例えば、５つのレイヤＬ１，Ｌ２，Ｌ３，Ｌ４，Ｌ５にそれぞれ受信されたコンテンツが割り当てられる。第１レイヤＬ１には、カレンダコンテンツが客体化されて客体ｏｂ１として位置する。第２レイヤＬ２には、証券情報コンテンツが客体化されて客体ｏｂ２として位置する。第３レイヤＬ３には、天気情報コンテンツが客体化されて客体ｏｂ３として位置する。第４レイヤＬ４には、検索ウィンドウコンテンツが客体化されて客体ｏｂ４として位置する。第５レイヤＬ５には、時間情報コンテンツが客体化されて客体ｏｂ５として位置する。
【００６４】
上記５つのレイヤは、一つのレイヤのＳに合成され、このように合成された結果から待ち受け画面レイヤＬＩが生成される。この待ち受け画面レイヤＬＩには上記５つのコンテンツが全て提供される。また、各コンテンツは一つの待ち受け画面に提供されるが、それぞれの区分されたレイヤが存在し、対応するレイヤ別に独立して処理される。
【００６５】
図６は、本発明が適用された待ち受け画面に提供されたコンテンツのサービスを実行するための一実施例を示す図である。
【００６６】
以下、本発明の明確な理解と説明の便宜のために、待ち受け画面のコンテンツ提供サービスを「ポップアッププラス」とし、レイヤに客体化されたコンテンツを「ミニ」と略称する。以下、図面及び図面の説明においても同様である。ただし、これが本発明の技術的範囲の限定や権利範囲の変動を意味することではない。
【００６７】
図６を参照すると、ＯＥＭ待ち受け画面６１０は、移動通信端末機１００の基本待ち受け画面を示すものである。ユーザは、ＯＥＭ待ち受け画面状態で所定キー、例えば、「ポップアップ」キーなどを押すことにより、ポップアッププラスを行うことができる。例えば、ユーザがＯＥＭ待ち受け画面６１０でポップアップキーを押すと、ＯＥＭ待ち受け画面６１０は画面状態６２０及び６３０を経て、ポップアッププラスの全面実行状態６４０に変更される。ここで、ポップアッププラスの全面実行状態とは、ポップアッププラスのフォアグラウンド（Foreground）状態を言う。すなわち、ポップアッププラス設定状態で各機能が使用可能となった状態を言う。ポップアッププラスの全面実行状態６４０で実行可能となったミニは、「検索ミニ」と「時計ミニ」が設定された状態である。
【００６８】
図７は、本発明が適用されたポップアッププラスの全面実行状態でミニを選択するための一実施例を示す図である。
【００６９】
図７に示すように、ユーザがポップアッププラスの全面実行状態７１０で所定キー、例えば、「選択」キーなどを押すと、ポップアッププラスの全面実行状態７１０は、対応するミニの機能を利用できるポップアッププラスの全面実行状態７２０に転換される。すなわち、ポップアッププラスの全面実行状態７１０でフォーカシングされているミニは検索ミニであって、この状態でユーザが「選択」キーを押すと、ユーザはポップアッププラスの全面実行状態７２０の検索ミニを利用することができる。また、ユーザはポップアッププラスの全面実行状態７２０で所定キー、例えば、「取消し」キーなどを押してポップアッププラスの全面実行状態７３０に戻すことができる。
【００７０】
図８は、本発明が適用されたポップアッププラスの全面実行状態でフォーカスを移動するための一実施例を示す図である。
【００７１】
図８を参照すると、ポップアッププラスの全面実行状態８１０では、画面上のフォーカスを選択できるミニリストウィンドウ８１５が表示される。この時、ミニリストは、コンテンツが客体化されている任意のレイヤ順で左から右に整列されることができる。例えば、最右側に表示される客体はフォトスクリーンであることができる。
【００７２】
また、ユーザがポップアッププラスの全面実行状態８１０で所定キー、例えば、「右方向」キーまたは「左方向」キーなどを押すことにより、ポップアッププラスの全面実行状態８２０またはポップアッププラスの全面実行状態８３０のミニにフォーカスが移動されることができる。
【００７３】
この時、ユーザが最右側に位置したミニで「右方向」キーを押すと、最左側に位置するミニにフォーカスが移動される。例えば、ポップアッププラスの全面実行状態８３０からポップアッププラスの全面実行状態８４０への移動である。
【００７４】
また、ユーザが最左側に位置したミニで「左方向」キーを押すと、最右側に位置したミニにフォーカスが移動される。例えば、ポップアッププラスの全面実行状態８４０からポップアッププラスの全面実行状態８３０への移動である。
【００７５】
図９は、本発明が適用されたポップアッププラスの全面実行状態でミニのサイズを変更するための一実施例を示す図である。
【００７６】
図９に示すように、ユーザは現在フォーカスが位置しているミニのサイズを変更することができる。ただし、説明の便宜と発明の明確な理解のために、ミニのサイズを大／中／小型のみに変更できると仮定するが、これが権利範囲の縮小を意味することではない。
【００７７】
ユーザは、メニュー項目の中からサイズ変更項目９１５を選択して現在フォーカスが位置しているミニのサイズを変更することができる。例えば、ポップアッププラスの全面実行状態９１０からポップアッププラスの全面実行状態９２０への移動である。この時、ユーザは所定キー、例えば、「左方向」キーまたは「右方向」キーなどを用いてプレビュー（preview）を見ながらミニのサイズを設定することができる。例えば、ポップアッププラスの全面実行状態９２０からポップアッププラスの全面実行状態９３０への移動、またはポップアッププラスの全面実行状態９３０からポップアッププラスの全面実行状態９２０への移動である。
【００７８】
また、ユーザは、所定項目、例えば、「設定」項目などを選択して、設定されたサイズのミニを用いることができる。例えば、ポップアッププラスの全面実行状態９３０からポップアッププラスの全面実行状態９４０への移動である。
【００７９】
図１０は、本発明が適用されたポップアッププラスの全面実行状態でミニの位置を変更するための一実施例を示す図である。
【００８０】
ユーザは、メニュー項目の中から位置変更項目９６５を選択して、現在フォーカスが位置しているミニの位置を変更することができる。例えば、ポップアッププラスの全面実行状態９６０からポップアッププラスの全面実行状態９７０への移動である。この時、ユーザは所定キー、例えば、「４方向」キーなどを利用して画面における所望する位置にミニを移動することができる。例えば、ポップアッププラスの全面実行状態９７０からポップアッププラスの全面実行状態９８０への移動である。
【００８１】
また、ユーザは、所定項目、例えば、「設定」項目などを選択して、位置が変更されたミニを用いることができる。例えば、ポップアッププラスの全面実行状態９８０からポップアッププラスの全面実行状態９９０への移動である。
【００８２】
図１１は、本発明の実施例による待ち受け画面サービス提供システムの構造を示すブロック図である。
【００８３】
本発明は、ＷＩＰＩアプリケーション基盤のコンテンツサーバから作成されたアプリケーションが待ち受け画面を直接占有及び変更する従来のサービスとは異なって、アプリケーションはマネージャの役割のみを行い、実際の待ち受け画面にはコンテンツサーバから提供されるコンテンツを用いるサービスが提供される。したがって、待ち受け画面を占有するアプリケーションは一つであり、該アプリケーションを介して多様なコンテンツをチャンネル形式でダウンロードして使用する。
【００８４】
図１１を参照すると、待ち受け画面サービスシステムは、アクティブポップアップサーバシステム（Active PoPup Server System：ＡＰＰＳ）であって、アクティブポップアップユーザ１０１０とプッシュ（ＰＵＳＨ）メッセージを送受信するＡＳＩＡ１０２０と、チャンネル設定情報及びチャンネルを提供するサービスゲートウェイ（Service Item Configuration Gateway :ＳＩＣＧ）１０３０と、上記サービスゲートウェイ１０３０及びチャンネル情報並びにメインイメージを提供するコンテンツサーバ１０４０と、ＷＩＰＩ（Wireless Internet Platform for Interoperability）デバイス１０５０で構成される。
このようなサービスシステムの構造を、説明の便宜のために本発明の実施例による概略的な構造に基づいて説明する。
【００８５】
図１２は本発明の実施例による待ち受け画面サービス提供システムにおけるポップアップＭｙチャンネルサービス提供の一例を示した概略的なシステム構造を示すブロック図である。
【００８６】
上記図１２を参照すると、待ち受け画面サービスシステムは、コンテンツ基盤のポップアップＭｙチャンネルのアプリケーションを表示する端末１１１０と、自体規格でパッケージングされたイメージとイメージマップとを提供するサービスゲートウェイ１１２０と、コンテンツを管理するコンテンツサーバ１１３０と、チャンネルウェブサーバ１１４０と、情報サーバ１１５０とを含む。
【００８７】
上記端末１１１０は、上記サービスゲートウェイ１１２０に、待ち受け画面に表示するチャンネル情報を要求する。ここで、上記チャンネル情報は、ポップアップの活性化時、または周期的に自動で要求する。そして、上記端末１１１０は、上記サービスゲートウェイ１１２０から提供されたイメージとイメージマップファイルとを分析して表示部に表示し、ユーザが上下左右のボタンを押す場合、提供されたイメージマップ情報に基づいて画面のイメージ上に焦点領域を表示する。
【００８８】
また、上記端末１１１０は、ユーザが確認ボタンを押す場合、対応する領域に接続されている外部ＫＵＮ／ＭＥ（韓国の通信業者よりサービスされる無線インターネットページ）ページまたは外部アプリケーションを駆動する。これにより、ユーザは詳細な情報及びコンテンツに迅速かつ容易にアクセスできる。ここで、上記チャンネルのイメージ及びイメージマップ情報に対する課金は基本的に無料である。
【００８９】
上記サービスゲートウェイ１１２０は、コンテンツサーバ１１３０の認証を行い、コンテンツサーバ１１３０から提供されたイメージファイル及びイメージマップファイルを分析して有効性チェックを行う。そして、上記サービスゲートウェイ１１２０は、端末１１１０に転送できる形態にイメージを変換（ＪＰＧ、ＢＭＰ→ ＳＩＳ）及びパッケージングしてアイテム（Item）別の詳細情報、ユーザリスト、及び設定ユーザリストを転送する。
【００９０】
上記コンテンツサーバ１１３０は、対応するチャンネルサーバと予め相互間にＵＲＬ（Uniform Resource Locator）登録をし、上記対応するチャンネルサーバから対応するチャンネルの情報を受信して上記サービスゲートウェイ１１２０に転送し、提供されるチャンネルを通して収益を発生させるコンテンツへの露出及びアクセスを容易にする。これにより、事業者はコンテンツの販売を増大させることができる。
【００９１】
上記チャンネルウェブサーバ１１４０は、上記情報サーバ１１５０と周期的に連動してチャンネルに対する最新情報を受信し、受信された最新チャンネル情報を用いて対応する情報に対する最新情報を周期的にイメージ化（Channel_image.bmp）して生成し、所定イメージマップファイルを生成し、生成されたイメージとイメージマップファイルとを上記サービスゲートウェイ１１２０に転送する。ここで、イメージは、ＢＭＰ、ＰＮＧ、ＳＩＳファイルなどを支援し、上記イメージマップ（Channel_image.map）は自体規格により製作されるテキストファイル形態である。そして、上記チャンネルウェブサーバ１１４０は、ユーザのボタン操作により外部リンク情報を提供し、イメージマップの各領域の座標、リンクＫＵＮ／ＭＥページ、またはアプリケーションＩＤなどで構成される。
【００９２】
上記情報サーバ１１５０は、ムンジャナラ（韓国のショットメッセージサービスを提供するサイトの一つ）、メール、証券、天気、ニュース、芸能情報などのチャンネルに対する情報を管理し、上記チャンネルウェブサーバ１１４０の要求により対応するチャンネルの情報を転送する。
【００９３】
次に、上記端末１１１０の表示部に表示されるポップアップＭｙチャンネルアプリケーションに対して添付された図面に基づいて説明する。
図１３は、本発明の実施例により端末に表示されるポップアップＭｙチャンネルアプリケーションを示すブロック図である。
【００９４】
端末１１１０の表示部にチャンネル画面（以下、「ポップアップＭｙチャンネル画面」と称する）１２００を表示し、上記ポップアップＭｙチャンネル画面１２００の上端には「ＣＨチャンネル選択」というタイトルが表示され、その下にはチャンネルリスト画面が表示される。ここで、上記チャンネルリスト画面領域には左右ボタンが形成されており、ユーザはコンテンツサーバ１１３０から提供される多様なチャンネルを選択することができる。上記ポップアップＭｙチャンネル画面１２００における上記チャンネルリスト画面の下には、選択されたチャンネルの紹介文が表示される。例えば、選択されたチャンネルが気象庁の天気チャンネルである場合、これの紹介文として「気象庁からリアルタイムで提供される天気情報チャンネルです。１０分毎にアップデートされます。」という内容が表示される。そして、上記ポップアップＭｙチャンネル画面１２００の最下側にはメニューと共に「ポップアップＭｙチャンネルです。」という内容が表示される。
【００９５】
ユーザが上記チャンネルリスト画面から所望するチャンネルを選択すると、選択されたチャンネルのチャンネルイメージ及びイメージマップ情報を受信して画面に表示し、所望する場合には設定した画面を待ち受け画面として設定することができる。
【００９６】
上記チャンネルリストには、気象庁の天気チャンネル１２１０を基準にして左側のボタンを押すと、着信ベルチャンネル１２２０、ムンジャナラチャンネル１２３０が表示され、右側のボタンを押すと、証券チャンネル１２４０、メールチャンネル１２５０が表示される。図１３に示すチャンネルの以外にコンテンツサーバ１１３０からのニュース、芸能情報、交通情報、ホームショッピング情報、広告情報など多様なコンテンツを表示することができる。
【００９７】
上記気象庁の天気チャンネル１２１０は、今日の天気を提供し、１０分毎にアップデートされ、アップデートの周期は調整できる。そして、上記気象庁の天気チャンネル１２１０が、自動化システムを構築して周期的にチャンネルサーバにチャンネルイメージを生成し、週間天気、月間天気、地域別天気に区分して、これらを課金されるＫＵＮページから提供することにより、ユーザに自社のコンテンツを購買またはサービスに加入するように誘導する。
【００９８】
図１４を参照すると、上記着信ベルチャンネル１２２０は、ソリナラ（韓国の着信ベルダウンロードサービスを提供するサイトの一つ）の最新資料や人気資料を提供し、アップデート周期は１日１回で設定し、自動化システムを構築して周期的にチャンネルサーバにチャンネルイメージを生成して、ユーザが着信ベルを購買するように誘導する。そして、上記着信ベルチャンネル１２２０は、ユーザが無料体験できるように特殊イベントリンクを提供するが、これは、毎度提供することではなく、ランダムで提供する。
【００９９】
上記着信ベルチャンネル１２２０の画面の「ニュー＆ベスト！」を選択すると、待ち受け画面を飾る画面１３００が表示される。待ち受け画面を飾る画面領域１３１０は、４つの待ち受け画面リストに区分され、領域１３２０はコンテンツ名を表示し、テキスト（text）をイメージで表示する予定の画面であって、フォントなどを制限なく自由に表現することができる。そして、領域１３３０は空き空間をサービスコンセプトに関連のあるイメージを用いて、できる限り余白がないように飾る。画面１３００の最上側領域１３４０にはサービスバナーを表示し、そのチャンネルを説明する代表文句を挿入し、領域１３５０にはコンテンツに関連のあるイメージを挿入する。最後に、画面１３００の最下側領域には「着信ベル検索」及び「無料体験」などが表示される。このようなコンテンツに関連のあるイメージ画面１３００を、図１５に示すように着信ベルチャンネル１２２０と組み合わせて待ち受け画面を流行に合わせて提供することができる。
上記証券チャンネル１２４０は、証券情報を１０分毎にアップデートし、自動化システムを構築して周期的にチャンネルサーバにチャンネルイメージを生成する。そして、上記証券チャンネル１２４０が、課金されるＫＵＮページからリアルタイムで情報を提供することにより、提供される画面の種類を周期的に変更し、有線通信網を用いてユーザが設定した関心種目の情報を提供する。
【０１００】
上記メールチャンネル１２５０は、ユーザのメールボックスを提供し、自動化システムを構築して要求がある場合、メールチャンネルサーバからリアルタイムでチャンネルイメージを生成する。そして、上記メールチャンネル１２５０がリアルタイムで詳細なメール確認やメール閲覧を、課金されるＫＵＮページまたは月定額アプリケーションから提供することにより、ユーザが自社のコンテンツを購買まやはサービスに加入するように誘導する。このようなメールチャンネルを用いるためのユーザに対する認証は対応するサイトから行われる。
【０１０１】
上述したように構成された待ち受け画面サービス提供システムにおけるコンテンツを基盤としてダイナミックに待ち受け画面サービスを提供する方法に対して添付した図面に基づいて具体的に説明する。
【０１０２】
図１６は本発明の実施例によりコンテンツ基盤の待ち受け画面を提供するためのサービス過程を示すフローチャートである。
【０１０３】
図１６を参照すると、ステップ１４１０で、端末１１１０は表示部に表示されたポップアップＭｙチャンネル画面１２００のチャンネルリストから所望するチャンネルを選択した後、サービスゲートウェイ１１２０を介してコンテンツサーバ１１３０に上記選択したチャンネルに対する情報を要求、すなわち、待ち受け画面設定を通報する。この待ち受け画面チャンネル情報は、ポップアップの活性化時、または周期的に自動で要求する。
【０１０４】
その後、ステップ１４２０で、サービスゲートウェイ１１２０は、予めコンテンツサーバ１１３０に登録されたＵＲＬに上記選択されたチャンネルのイメージファイル及びイメージマップファイルを要求する。これにより、ステップ１４３０で、上記チャンネルウェブサーバ１１４０は、対応するチャンネルの情報サーバ１１５０からチャンネルの詳細情報の提供を受けてイメージ及びイメージマップファイルを生成する。
【０１０５】
その後、ステップ１４４０で、上記チャンネルウェブサーバ１１４０は、生成された最新のイメージ及びイメージマップファイルをコンテンツサーバ１１３０に転送する。次に、ステップ１４５０で、コンテンツサーバ１１３０は上記生成されたイメージ及びイメージマップファイルを上記サービスゲートウェイ１１２０に転送する。これにより、ステップ１４６０で、サービスゲートウェイ１１２０は上記受信されたイメージ及びイメージマップファイルの認証を行い、端末１１１０に転送できる形態に変換して自体規格でパッケージングする。
【０１０６】
その後、ステップ１４７０で、サービスゲートウェイ１１２０は、パッケージングされたイメージ及びイメージマップを端末１１１０に転送する。これにより、ステップ１４８０で、端末１１１０は受信されたイメージ及びイメージマップを表示部の画面に表示する。以後、ユーザが特定キーを用いて該チャンネルを待ち受け画面から除去すると、端末１１１０はチャンネルコンテンツアップデートを中止し、待ち受け画面解除を行う。
【０１０７】
このようにイメージ及びイメージマップを表示した後、ユーザが上下左右ボタンを押すと、提供されたイメージマップ情報に基づいて画面のイメージ上にフォーカス領域を表示する。その後、ユーザが確認ボタンを押すと、対応する領域に接続されている外部ＫＵＮ／ＭＥページまたは外部アプリケーションを駆動する。これにより、ユーザは、詳細な情報やコンテンツに迅速かつ容易にアクセスできる。ここで、チャンネルのイメージ及びイメージマップ情報に対する課金は基本的に無料であり、コンテンツサーバ１１３０は、提供するチャンネルを通して収益を発生させるコンテンツを露出し、アクセスを容易にすることにより、販売を増大させることができる。
【０１０８】
従って、このような本発明の実施例を適用することにより、待ち受け画面を占有するアプリケーションを一つに設定し、このようなアプリケーションを介して多様なコンテンツをチャンネル形式でコンテンツサーバからダウンロードして用いることができる。このような多様なコンテンツ（チャンネル）の中からユーザが所望する内容を選択すると、対応するコンテンツが即座に待ち受け画面に設定でき、特定キーにより即座に待ち受け画面解除できる。よって、ユーザはＴＶチャンネルを変更するように、容易に所望する内容を待ち受け画面に設定及び解除することができる。
【０１０９】
また、本発明は自由に変更／アップグレードなどができ、コンテンツ基盤であって、コンテンツサーバはコンテンツのみを提供するので、多くのリソースを要するアプリケーションを構成する必要がなく、端末にＯＥＭ基盤のサービスを提供できるので、製造社や移動通信業者ではない他の事業者もサービスを提供することができる。
【０１１０】
上述した本発明の方法は、プログラムで具現されてコンピュータで読み取る可能な形態に記録媒体（ＣＤ−ＲＯＭ、ＲＡＭ、ＲＯＭ、フロッピー（登録商標）ディスク、ハードディスク、光磁気ディスクなど）に格納することができる。このような過程は、本発明が属する技術分野で通常の知識を有する者であれば容易に実施できるため、これに対する詳細な説明は省略する。
【０１１１】
本明細書及び請求の範囲で用いられた用語や単語は、通常のあるいは辞書的な意味だけに限定して解釈するのでなく、発明者が自分の発明を最良の方法により説明するために、用語の概念を適切に定義可能であるという原則に基づいて本発明の技術的な思想に見合う意味と概念として解釈すべきである。
【０１１２】
したがって、本明細書に記載された実施例と図面に示された構成は、本発明の好ましい一実施例に過ぎず、本発明の技術的思想を全て代弁するものではないので、本出願時点において、これらを代替できる多様な均等物及び変更例があり得ることを理解しなければならない。
【産業上の利用可能性】
【０１１３】
本発明によれば、移動通信システム環境下で提供される多数のコンテンツを待ち受け状態の移動通信端末機の待ち受け画面上に一度に提供することにより、ユーザのＤＩＹ（Do It Yourself）サービスに対する欲求を充足でき、コンテンツへの参加比率を高めることができる。
また、移動通信端末機の待ち受け画面に提供される多数のコンテンツがそれぞれ独立して処理されるので、提供されるコンテンツの変更が容易で、ユーザが待ち受け画面上のコンテンツ配置を自由に変更できる。
また、本発明は一つのアプリケーションで様々なコンテンツ（チャンネル）をダウンロードするコンテンツ基盤のサービスを提供するので、待ち受け画面を自由に変更／アップグレードなどができ、コンテンツサーバはコンテンツのみを提供するので、多くのリソースを要するアプリケーションを構成する必要がなく、所望する待ち受け画面を容易に具現でき、ユーザは詳細な情報及びコンテンツを迅速かつ容易にアクセスできる。
【図面の簡単な説明】
【０１１４】
【図１】本発明の一実施例による移動通信端末機にコンテンツが提供される移動通信システム環境を概略的に示す構成図である。
【図２】本発明の一実施例による待ち受け画面に多重コンテンツが提供される移動通信端末機の機能ブロックを示す構成図である。
【図３】本発明の一実施例による待ち受け画面に多重コンテンツが提供される移動通信端末機のプログラム構造図である。
【図４】本発明の一実施例による移動通信端末機の待ち受け画面に多重コンテンツを提供する方法のフローを順に示す図である。
【図５】本発明の一実施例による待ち受け画面に多重コンテンツが提供される移動通信端末機の待ち受け画面合成過程を示す図である。
【図６】本発明による待ち受け画面へのコンテンツ提供サービスを行うための一実施例を示す図である。
【図７】本発明によるポップアッププラスの全面実行状態でミニを選択するための一実施例を示す図である。
【図８】本発明によるポップアッププラスの全面実行状態でフォーカス移動のための一実施例を示す図である。
【図９】本発明によるポップアッププラスの全面実行状態でミニのサイズを変更するための一実施例を示す図である。
【図１０】本発明によるポップアッププラスの全面実行状態でミニの位置を変更するための一実施例を示す図である。
【図１１】本発明の実施例による待ち受け画面サービス提供システムの構造を示すブロック図である。
【図１２】本発明の実施例による待ち受け画面サービス提供システムにおけるポップアップＭｙチャンネルサービス提供の一例を示す概略的なシステム構造のブロック図である
【図１３】本発明の実施例により端末に表示されるポップアップＭｙチャンネルアプリケーションを示すブロック図である。
【図１４】図１３に示されたポップアップＭｙチャンネルアプリケーションの一例を示すブロック図である。
【図１５】図１３に示すポップアップＭｙチャンネルアプリケーションの一例を示すブロック図である。
【図１６】本発明の実施例によりコンテンツ基盤の待ち受け画面を提供するためのサービス過程を示すフローチャートである。
【符号の説明】
【０１１５】
１１０    コンテンツ受信モジュール
１２０    ハンドセットＯＳモジュール
１３０    コンテンツ管理アプリケーションモジュール
１１１０  端末
１１２０  サービスゲートウェイ
１１３０  コンテンツサーバ
１１４０  チャンネルウェブサーバ
１１５０  情報サーバ
【図１】
2009529844.tif 000003
【図２】
2009529844.tif 000004
【図３】
2009529844.tif 000005
【図４】
2009529844.tif 000006
【図５】
2009529844.tif 000007
【図６】
2009529844.tif 000008
【図７】
2009529844.tif 000009
【図８】
2009529844.tif 000010
【図９】
2009529844.tif 000011
【図１０】
2009529844.tif 000012
【図１１】
2009529844.tif 000013
【図１３】
2009529844.tif 000014
【図１６】
2009529844.tif 000015
【図１２】
2009529844.tif 000016
【図１４】
2009529844.tif 000017
【図１５】
2009529844.tif 000018
【国際調査報告】
2009529844.tif 000019
2009529844.tif 000020
2009529844.tif 000021
2009529844.tif 000022